(57)【要約】  気圧値を測定する気圧測定部（１１１）と、風向及び風量を変更することのできる空調部（１３６）と、複数の気圧値の変化量から、携帯端末（１１０）が受ける風の風速を算出するとともに、空気調和機（１３０）から携帯端末（１１０）が存在している方向である存在方向を特定する風速算出部（１３２）と、風速及び存在方向に従って、空調部（１３６）の風向及び風量を決定する空調制御決定部（１３４）と、決定された風向及び風量となるように、空調部（１３６）を制御する空調制御部（１３５）とを備える。
2019150457.tif 000002
【特許請求の範囲】
【請求項１】
気圧値を測定する気圧測定部を含む携帯端末と、風向及び風量を変更することのできる空調部を含む空気調和機とを備える空調制御システムであって、
前記気圧測定部で測定される複数の前記気圧値の変化量から、前記携帯端末が受ける風の風速を算出するとともに、前記空気調和機から前記携帯端末が存在している方向である存在方向を特定する風速算出部と、
前記風速及び前記存在方向に従って、前記空調部の風向及び風量を決定する空調制御決定部と、
前記決定された風向及び風量となるように、前記空調部を制御する空調制御部と、を備えること
を特徴とする空調制御システム。
【請求項２】
前記風速算出部は、前記空調部の現在の風向及び風量において前記気圧測定部で測定される第１の気圧値と、前記空調制御部により前記空調部の風向を左右方向に変化させて、前記気圧測定部で複数回測定される複数の第２の気圧値の内の最低値との差分である対象差分により、前記変化量を特定すること
を特徴とする請求項１に記載の空調制御システム。
【請求項３】
前記気圧測定部に風が当たる角度と、前記空調制御部により前記空調部の風向を左右方向に変化させた場合に、前記角度において、前記気圧測定部で測定される気圧値の最大値及び最小値の差分とを対応付けた角度情報、並びに、前記角度と、前記角度において前記気圧測定部で測定される気圧値を、前記角度を変化させた場合に前記気圧測定部で測定される気圧値の最大値で除算した値である効率とを対応付けた効率情報を記憶する記憶部をさらに備え、
前記風速算出部は、前記角度情報を参照することで、前記複数の第２の気圧値の最大値と最小値との差分に対応する角度を特定し、前記効率情報を参照することで、前記特定された角度に対応する効率を特定するとともに、前記対象差分を前記特定された効率で除算することで、前記対象差分を補正し、前記補正された対象差分を、前記変化量として用いること
を特徴とする請求項２に記載の空調制御システム。
【請求項４】
前記風速算出部は、前記気圧測定部に前記空調部からの風が当たる場合に、前記対象差分を補正し、前記気圧測定部に前記空調部からの風が当たらない場合に、前記対象差分を補正せずに、前記対象差分を前記変化量として用いること
を特徴とする請求項３に記載の空調制御システム。
【請求項５】
前記風速算出部は、前記対象差分が予め定められた閾値よりも大きく、かつ、前記複数の第２の気圧値に１つの極大値が含まれている場合に、前記気圧測定部に前記空調部からの風が当たると判断すること
を特徴とする請求項４に記載の空調制御システム。
【請求項６】
前記風速算出部は、前記変化量を２倍して空気の密度で除算した値の平方根により、前記風速を算出すること
を特徴とする請求項１から５の何れか一項に記載の空調制御システム。
【請求項７】
前記携帯端末は、温度を測定する温度測定部をさらに備え、
前記風速算出部は、前記温度に対応する前記空気の密度を用いて、前記風速を算出することを特徴とする請求項６に記載の空調制御システム。
【請求項８】
気圧値を測定する気圧測定部、温度を測定する温度測定部及び湿度を測定する湿度測定部を備える携帯端末と、風向及び風量を変更することのできる空調部を備える空気調和機とを備える空調制御システムであって、
前記気圧測定部で測定される複数の前記気圧値の変化量から、前記携帯端末が受ける風の風速を算出するとともに、前記空気調和機から前記携帯端末が存在している方向である存在方向を特定する風速算出部と、
前記風速、前記温度及び前記湿度から、前記携帯端末のユーザの体感温度を特定し、前記体感温度及び前記存在方向に従って、前記空調部の風向及び風量を決定する空調制御決定部と、
前記決定された風向及び風量となるように、前記空調部を制御する空調制御部と、を備えること
を特徴とする空調制御システム。
【請求項９】
対象を開閉する開閉部を含む開閉装置をさらに備え、
前記空調制御決定部は、前記体感温度に従って、前記開閉部の開閉度合いを決定し、
前記決定された開閉度合いとなるように、前記開閉部を制御する開閉制御部をさらに備えること
を特徴とする請求項８に記載の空調制御システム。
【請求項１０】
雑音量を示す出力値を出力する集音部を含む携帯端末と、風向及び風量を変更することのできる空調部を含む空気調和機とを備える空調制御システムであって、
前記集音部から出力される複数の前記出力値の変化量から、前記携帯端末が受ける風の風速を特定するとともに、前記空気調和機から前記携帯端末が存在している方向である存在方向を特定する風速特定部と、
前記風速及び前記存在方向に従って、前記空調部の風向及び風量を決定する空調制御決定部と、
前記決定された風向及び風量となるように、前記空調部を制御する空調制御部と、を備えること
を特徴とする空調制御システム。
【請求項１１】
気圧値を測定する気圧測定部を含む携帯端末と通信する空気調和機であって、
風向及び風量を変更することのできる空調部と、
前記携帯端末と通信することで、前記携帯端末から前記気圧値を受信する空調通信部と、
前記空調通信部で受信される複数の前記気圧値の変化量から、前記携帯端末が受ける風の風速を算出するとともに、前記空気調和機から前記携帯端末が存在している方向である存在方向を特定する風速算出部と、
前記風速及び前記存在方向に従って、前記空調部の風向及び風量を決定する空調制御決定部と、
前記決定された風向及び風量となるように、前記空調部を制御する空調制御部と、を備えること
を特徴とする空気調和機。
【請求項１２】
気圧値を測定する気圧測定部、温度を測定する温度測定部及び湿度を測定する湿度測定部を備える携帯端末と通信する空気調和機であって、
風向及び風量を変更することのできる空調部と、
前記携帯端末と通信することで、前記携帯端末から前記気圧値、前記温度及び前記湿度を受信する空調通信部と、
前記空調通信部で受信される複数の前記気圧値の変化量から、前記携帯端末が受ける風の風速を算出するとともに、前記空気調和機から前記携帯端末が存在している方向である存在方向を特定する風速算出部と、
前記風速、前記温度及び前記湿度から、前記携帯端末のユーザの体感温度を特定し、前記体感温度及び前記存在方向に従って、前記空調部の風向及び風量を決定する空調制御決定部と、
前記決定された風向及び風量となるように、前記空調部を制御する空調制御部と、を備えること
を特徴とする空気調和機。
【請求項１３】
雑音量を示す出力値を出力する集音部を含む携帯端末と通信する空気調和機であって、
風向及び風量を変更することのできる空調部と、
前記携帯端末と通信することで、前記携帯端末から前記出力値を受信する空調通信部と、
前記空調通信部で受信される複数の前記出力値の変化量から、前記携帯端末が受ける風の風速を特定するとともに、前記空気調和機から前記携帯端末が存在している方向である存在方向を特定する風速特定部と、
前記風速及び前記存在方向に従って、前記空調部の風向及び風量を決定する空調制御決定部と、
前記決定された風向及び風量となるように、前記空調部を制御する空調制御部と、を備えること
を特徴とする空気調和機。
【発明の詳細な説明】
【技術分野】
【０００１】
本発明は、空調制御システム及び空気調和機に関する。
【背景技術】
【０００２】
空気調和機により室内環境を快適にするため、従来は、室内及び屋外の環境を測定し、環境に合わせた制御がなされてきた。室内の環境は、通常、室内機に搭載したセンサで測定することにより取得される。屋外の環境は、室外機にセンサを搭載して測定したり、専用の環境測定装置を設置して測定したり、気象観測所の観測データを、インターネットを介して収集したりすることにより、取得されている。【０００３】
例えば、先行文献１は、窓及びドアの開閉装置と、空調装置と、建物内外に環境を監視する監視装置と、コントローラとを備える空調システムを開示している。この空調システムでは、監視装置は、センサで風速及び風向を計測し、コントローラは、監視装置の計測結果に基づき、空調装置を制御している。
【先行技術文献】
【特許文献】
【０００４】
【特許文献１】国際公開第２０１４／１６７８３７号公報
【発明の概要】
【発明が解決しようとする課題】
【０００５】
しかしながら、空気調和機で室内のあらゆる場所を、ユーザが所望し、指示した環境にすることは困難である。具体的には、空気調和機は、センサの測定値に基づき制御されるため、センサが存在する場所が、空気調和機により好適な環境にされる。このため、ユーザの周辺等の、ユーザが希望する場所にセンサが設置されていない場合には、ユーザが希望する場所を快適にすることはできない。【０００６】
そこで、本発明の１又は複数の態様は、ユーザが希望する場所を、空気調和機により好適にできるようにすることを目的とする。
【課題を解決するための手段】
【０００７】
本発明の第１の態様に係る空調制御システムは、気圧値を測定する気圧測定部を含む携帯端末と、風向及び風量を変更することのできる空調部を含む空気調和機とを備える空調制御システムであって、前記気圧測定部で測定される複数の前記気圧値の変化量から、前記携帯端末が受ける風の風速を算出するとともに、前記空気調和機から前記携帯端末が存在している方向である存在方向を特定する風速算出部と、前記風速及び前記存在方向に従って、前記空調部の風向及び風量を決定する空調制御決定部と、前記決定された風向及び風量となるように、前記空調部を制御する空調制御部と、を備えることを特徴とする。【０００８】
本発明の第２の態様に係る空調制御システムは、気圧値を測定する気圧測定部、温度を測定する温度測定部及び湿度を測定する湿度測定部を備える携帯端末と、風向及び風量を変更することのできる空調部を備える空気調和機とを備える空調制御システムであって、前記気圧測定部で測定される複数の前記気圧値の変化量から、前記携帯端末が受ける風の風速を算出するとともに、前記空気調和機から前記携帯端末が存在している方向である存在方向を特定する風速算出部と、前記風速、前記温度及び前記湿度から、前記携帯端末のユーザの体感温度を特定し、前記体感温度及び前記存在方向に従って、前記空調部の風向及び風量を決定する空調制御決定部と、前記決定された風向及び風量となるように、前記空調部を制御する空調制御部と、を備えることを特徴とする。【０００９】
本発明の第３の態様に係る空調制御システムは、雑音量を示す出力値を出力する集音部を含む携帯端末と、風向及び風量を変更することのできる空調部を含む空気調和機とを備える空調制御システムであって、前記集音部から出力される複数の前記出力値の変化量から、前記携帯端末が受ける風の風速を特定するとともに、前記空気調和機から前記携帯端末が存在している方向である存在方向を特定する風速特定部と、前記風速及び前記存在方向に従って、前記空調部の風向及び風量を決定する空調制御決定部と、前記決定された風向及び風量となるように、前記空調部を制御する空調制御部と、を備えることを特徴とする。【００１０】
本発明の第１の態様に係る空気調和機は、気圧値を測定する気圧測定部を含む携帯端末と通信する空気調和機であって、風向及び風量を変更することのできる空調部と、前記携帯端末と通信することで、前記携帯端末から前記気圧値を受信する空調通信部と、前記空調通信部で受信される複数の前記気圧値の変化量から、前記携帯端末が受ける風の風速を算出するとともに、前記空気調和機から前記携帯端末が存在している方向である存在方向を特定する風速算出部と、前記風速及び前記存在方向に従って、前記空調部の風向及び風量を決定する空調制御決定部と、前記決定された風向及び風量となるように、前記空調部を制御する空調制御部と、を備えることを特徴とする。【００１１】
本発明の第２の態様に係る空気調和機は、気圧値を測定する気圧測定部、温度を測定する温度測定部及び湿度を測定する湿度測定部を備える携帯端末と通信する空気調和機であって、風向及び風量を変更することのできる空調部と、前記携帯端末と通信することで、前記携帯端末から前記気圧値、前記温度及び前記湿度を受信する空調通信部と、前記空調通信部で受信される複数の前記気圧値の変化量から、前記携帯端末が受ける風の風速を算出するとともに、前記空気調和機から前記携帯端末が存在している方向である存在方向を特定する風速算出部と、前記風速、前記温度及び前記湿度から、前記携帯端末のユーザの体感温度を特定し、前記体感温度及び前記存在方向に従って、前記空調部の風向及び風量を決定する空調制御決定部と、前記決定された風向及び風量となるように、前記空調部を制御する空調制御部と、を備えることを特徴とする。【００１２】
本発明の第３の態様に係る空気調和機は、雑音量を示す出力値を出力する集音部を含む携帯端末と通信する空気調和機であって、風向及び風量を変更することのできる空調部と、前記携帯端末と通信することで、前記携帯端末から前記出力値を受信する空調通信部と、前記空調通信部で受信される複数の前記出力値の変化量から、前記携帯端末が受ける風の風速を特定するとともに、前記空気調和機から前記携帯端末が存在している方向である存在方向を特定する風速特定部と、前記風速及び前記存在方向に従って、前記空調部の風向及び風量を決定する空調制御決定部と、前記決定された風向及び風量となるように、前記空調部を制御する空調制御部と、を備えることを特徴とする。
【発明の効果】
【００１３】
本発明の１又は複数の態様によれば、ユーザが希望する場所を、空気調和機により好適にすることができる。
【図面の簡単な説明】
【００１４】
【図１】実施の形態１に係る空調制御システムの構成を概略的に示すブロック図である。
【図２】（Ａ）及び（Ｂ）は、ハードウェア構成例を示すブロック図である。
【図３】風速を算出する処理を示すフローチャートである。
【図４】風向の設定値に対応する気圧値の変動を示すグラフの一例を示す概略図である。
【図５】（Ａ）及び（Ｂ）は、気圧測定部に風が当たる角度と、気圧測定部で測定される気圧値との関係を説明するための概略図である。
【図６】実施の形態２に係る空調制御システムの構成を概略的に示すブロック図である。
【図７】実施の形態３に係る空調制御システムの構成を概略的に示すブロック図である。
【図８】実施の形態４に係る空調制御システムの構成を概略的に示すブロック図である。
【図９】実施の形態４に係る空調制御システムの利用方法を示す概略図である。
【発明を実施するための形態】
【００１５】
実施の形態１．
図１は、実施の形態１に係る空調制御システム１００の構成を概略的に示すブロック図である。
空調制御システム１００は、携帯端末１１０と、空気調和機１３０とを備える。
携帯端末１１０及び空気調和機１３０は、ＬＡＮ（Ｌｏｃａｌ  Ａｒｅａ  Ｎｅｔｗｏｒｋ）等のネットワーク１０１に接続されている。例えば、ネットワーク１０１での通信は、無線ＬＡＮ、Ｗｉ−Ｆｉ（登録商標）又はＢｌｕｅｔｏｏｔｈ（登録商標）等の無線通信である。
【００１６】
携帯端末１１０は、気圧測定部１１１と、端末制御部１１２と、端末通信部１１３とを備える。
気圧測定部１１１は、気圧値を測定する。例えば、気圧測定部１１１は、気圧を測定する気圧センサにより実現することができる。
端末制御部１１２は、携帯端末１１０での処理を制御する。例えば、端末制御部１１２は、気圧測定部１１１から、測定された気圧値を受け取り、端末通信部１１３に与える。
端末通信部１１３は、ネットワーク１０１との間で通信を行う。例えば、端末通信部１１３は、端末制御部１１２から与えられる気圧値を空気調和機１３０に送信する。端末通信部１１３は、例えば、ＮＩＣ（Ｎｅｔｗｏｒｋ  Ｉｎｔｅｒｆａｃｅ  Ｃａｒｄ）により実現することができる。
【００１７】
以上に記載された端末制御部１１２の一部又は全部は、例えば、図２（Ａ）に示されているように、メモリ１０と、メモリ１０に格納されているプログラムを実行するＣＰＵ（Ｃｅｎｔｒａｌ  Ｐｒｏｃｅｓｓｉｎｇ  Ｕｎｉｔ）等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００１８】
また、端末制御部１１２の一部は、例えば、図２（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１２で構成することもできる。
【００１９】
図１に戻り、空気調和機１３０は、空調通信部１３１と、風速算出部１３２と、記憶部１３３と、空調制御決定部１３４と、空調制御部１３５と、空調部１３６とを備える。
【００２０】
空調通信部１３１は、ネットワーク１０１との間で通信を行う。例えば、空調通信部１３１は、携帯端末１１０からの気圧値を受信する。受信された気圧値は、風速算出部１３２に与えられる。空調通信部１３１は、例えば、ＮＩＣにより実現することができる。
【００２１】
風速算出部１３２は、空調通信部１３１から与えられる気圧値を記憶部１３３に記憶させる。
風速算出部１３２は、携帯端末１１０が受ける風の風速を算出する。例えば、風速算出部１３２は、記憶部１３３に記憶されている複数の気圧値の変化量と、空調制御部１３５から入力される空気調和機１３０の現在の風向及び風量の設定値とに基づき、携帯端末１１０が受ける風の風速を算出する。具体的には、風速算出部１３２は、空気調和機１３０の現在の風向及び風量において気圧測定部１１１で測定された第１の気圧値と、空調部１３６からの風向を左右方向に変化させて、気圧測定部１１１で複数回測定された複数の第２の気圧値の内の最低値との差分である対象差分により、気圧値の変化量を特定する。そして、風速算出部１３２は、その変化量を２倍した値を、空気の密度で除算した値の平方根により、風速を算出する。なお、対象差分については、携帯端末１１０が空調部１３６からの風を受けている場合には、携帯端末１１０の気圧測定部１１１の向きに応じて、補正される。
【００２２】
また、風速算出部１３２は、携帯端末１１０が存在する方向である存在方向を特定する。
以上のようにして算出された風速及び特定された存在方向は、空調制御決定部１３４に与えられる。
【００２３】
記憶部１３３は、空気調和機１３０での処理に必要な情報を記憶する。例えば、記憶部１３３は、風速算出部１３２から与えられる気圧値を記憶する。記憶部１３３は、揮発性のメモリ又は不揮発性のメモリにより実現することができる。
【００２４】
空調制御決定部１３４は、現在の風向及び風量の設定値、風速算出部１３２から与えられる風速及び存在方向に従って、空気調和機１３０の風向及び風量の制御内容を決定し、風向及び風量の制御内容を空調制御部１３５に与える。
【００２５】
空調制御部１３５は、空調制御決定部１３４から与えられる風向及び風量の制御内容に従い、空気調和機１３０が風を出力するよう、空調部１３６に風向及び風量の設定を行うとともに、その設定値を、現在の風向及び風量の設定値として、風速算出部１３２に与える。
空調部１３６は、空気の調和を実行する部分である。例えば、空調部１３６は、冷凍サイクルを用いて、空気を冷却又は加熱し、冷却又は加熱された空気を、設定された風向及び風量で排出する。空調部１３６は、風向及び風量を変更することができる。
【００２６】
以上に記載された風速算出部１３２、空調制御決定部１３４及び空調制御部１３５の一部又は全部は、例えば、図２（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００２７】
また、風速算出部１３２、空調制御決定部１３４及び空調制御部１３５の一部又は全部は、例えば、図２（Ｂ）に示されているように、単一回路、複合回路、プログラム化したプロセッサ、並列プログラム化したプロセッサ、ＡＳＩＣ又はＦＰＧＡ等の処理回路１２で構成することもできる。
【００２８】
次に、空調制御システム１００での動作について説明する。
まず、空調制御システム１００での動作の概要を説明する。
空気調和機１３０から排出された風により、室内の気圧が変化する。気圧の変化は、空気調和機１３０が出力した風の風向、風速及び温度が同じであっても、室内の場所によって異なる。
空気調和機１３０から排出された風は、空気調和機１３０からの距離、空気調和機１３０と測定場所との間に設置された家具、測定場所周辺に置かれた物、人の動き、空気調和機１３０以外の装置が排出した風、又は、窓若しくは戸等の開口部から入り込む風等の影響を受けている。
本実施の形態では、風を検知する場所を携帯端末１１０が設置された場所とし、携帯端末１１０の気圧測定部１１１で測定された気圧値により、携帯端末１１０が受けた風を算出する。
【００２９】
気圧測定部１１１で測定された気圧値は、携帯端末１１０の端末通信部１１３に送られる。測定された気圧値は、端末通信部１１３から空気調和機１３０に送信されて、空調通信部１３１で受信される。受信された気圧値は、風速算出部１３２に与えられ、風速算出部１３２は、空調通信部１３１から与えられる気圧値と、空調制御部１３５から与えられる現在の風向及び風量の設定値とに基づき、携帯端末１１０が受けた風の風速を算出する。
【００３０】
図３は、風速算出部１３２において風速を算出する処理を示すフローチャートである。
まず、風速算出部１３２は、空調制御部１３５から与えられた最新の風向及び風量の設定値と、携帯端末１１０から与えられた最新の気圧値を記憶部１３３に記憶させる（Ｓ１０）。
【００３１】
そして、風速算出部１３２は、空調制御決定部１３４に空調部１３６の風向を左右方向にスイング制御するよう指示する（Ｓ１１）。このような指示を受けた空調制御決定部１３４は、風速の算出のため、風速算出部１３２の指示に従い、空調部１３６から出力する風向及び風量を制御する風向及び風量制御命令を決定して、空調制御部１３５に与える。空調制御部１３５は、空調制御決定部１３４から与えられた風向及び風量制御命令に従い、風向及び風量を制御する。このような制御に従って、空調部１３６は、風向を左又は右の方向に予め定められた量だけ変更する。なお、風向を変更する方向については、予め定められていてもよく、また、現在の風向位置から、より変更量の多い方向に決められてもよい。また、空調部１３６への制御後、空調制御部１３５は、変更後の風向及び風量の設定値を風速算出部１３２に与える。
【００３２】
次に、携帯端末１１０の気圧測定部１１１は、気圧値を測定する（Ｓ１２）。
端末制御部１１２は、測定された気圧値を気圧測定部１１１から受け取り、端末通信部１１３から空気調和機１３０に送る（Ｓ１３）。
【００３３】
そして、風速算出部１３２は、ステップＳ１１において空調制御部１３５から与えられた現在の風向及び風量の設定値と、ステップＳ１３において携帯端末１１０から与えられた気圧値を記憶部１３３に記憶させる（Ｓ１４）。
【００３４】
次に、風速算出部１３２は、記憶部１３３に記憶されている風向の設定値が、空調部１３６で設定可能な左右方向の右端から左端まで変化したか否かを判定する（Ｓ１５）。風向の設定値が右端から左端まで変化した場合（Ｓ１５でＹｅｓ）には、処理はステップＳ１６に進み、風向の設定値が右端から左端までは、未だ変化していない場合（Ｓ１５でＮｏ）には、処理はステップＳ１１に戻る。
【００３５】
なお、ステップＳ１１〜Ｓ１４の処理では、空調制御部１３５は、風向を右端から順に変更する必要はない。例えば、図３に示されているフローの開始時の風向が設定されている位置から、右又は左の一方に風向を変更し、端まできたら、他方に変更するという処理を繰り返せばよい。これにより、記憶部１３３に、風向が最も右に設定された場合と、最も左に設定された場合と、その中間に設定された場合の風向及び風量の設定値と、その設定値における気圧値とが記憶されればよい。なお、中間に設定された場合は、複数必要である。例えば、最も右と最も左の中間の１０以上の風向位置について気圧値が測定される。
【００３６】
ステップＳ１６では、風速算出部１３２は、ステップＳ１４で記憶部１３３に記憶された風向の設定値及び気圧値から、風向の設定値に対応する気圧値の変動を示すグラフを作成する。
図４は、ステップＳ１６で作成される、風向の設定値に対応する気圧値の変動を示すグラフの一例を示す概略図である。
このグラフは、横軸に風向の設定値、縦軸に気圧値（ｈＰａ）が割り振られている。
風速算出部１３２は、記憶部１３３に記憶されている風向の設定値と、その設定値における気圧値とを、図４のグラフにプロットし、プロットされた点を結ぶ。
【００３７】
そして、風速算出部１３２は、気圧値の微小変化であるノイズを除去する処理を施す（Ｓ１７）。これは、その後の処理において、気圧値の微小変化の影響を受けないようにするためである。具体的には、風速算出部１３２は、気圧値に対してフィルタをかけることで値を平滑化する。平滑化のフィルタとしては、平均値フィルタ又はガウシアンフィルタ等のフィルタが用いられる。
【００３８】
図４に示されている曲線ａ〜ｄは、ステップＳ１６でノイズが除去された後の気圧値の変動を示す。曲線ａ及び曲線ｂは、携帯端末１１０の位置を変更せず、携帯端末１１０の向きだけを変更した場合の気圧値の変動を示している。例えば、携帯端末１１０がスマートフォンであった場合、ディスプレイがある方を天井に向けたときと、ディスプレイがない方を天井に向けたときとの差が曲線ａ及び曲線ｂで示されている。
また、曲線ｃ及び曲線ｄは、携帯端末１１０が空気調和機１３０からの風の当たらない位置にある場合の気圧値の変動を示している。
なお、空気調和機１３０から排出する風の風量は、変更されない。曲線の違いの詳細は、下記のステップで説明する。
【００３９】
図３に戻り、次に、風速算出部１３２は、気圧値の変動を示す曲線における最大値と最小値とを特定し、その差分を算出する。そして、風速算出部１３２は、その差分が予め定められた閾値よりも大きいか否かを判断する（Ｓ１８）。ここで、その差分が予め定められた閾値よりも大きい場合（Ｓ１８でＹｅｓ）には、携帯端末１１０に風が直接当たっていると判断し、処理はステップＳ１９に進む。その差分が予め定められた閾値以下である場合（Ｓ１８でＮｏ）には、携帯端末１１０に風が直接当たっていないと判断し、処理はステップＳ２２に進む。ここでの閾値は、例えば、１．３６ｈＰａとする。この値は、室温２０℃において、顔に風を感じない最大の風速である１．５ｍ／ｓ以上の風がないことを意味している。空気の密度は、室温によって変動し、０℃で１.２９３、１０℃で１．２４７、３０℃で１．１６５である。後述するように、風速は、気圧値の変化量と空気の密度とに依存する。
【００４０】
次に、風速算出部１３２は、気圧値の変動を示す曲線における極大値の数を算出する。そして、風速算出部１３２は、極大値と最大値とが同じであり、かつ、極大値が１つであるか否かを判断する（Ｓ１９）。極大値と最大値とが同じであり、かつ、極大値が１つである場合（Ｓ１９でＹｅｓ）には、携帯端末１１０が空気調和機１３０からの風を受けていると判断し、処理はステップＳ２０に進む。極大値と最大値とが異なる場合、又は、極大値が複数ある場合（Ｓ１９でＮｏ）には、携帯端末１１０が空気調和機１３０からの風を受けていないと判断し、処理はステップＳ２２に進む。
【００４１】
携帯端末１１０の気圧測定部１１１が測定した気圧値が最大となるのは、空気調和機１３０から出力される風の方向に携帯端末１１０があるときである。このため、気圧測定部１１１が測定した気圧値が最大になった風向の設定値の方向に、携帯端末１１０があるといえる。図４においては、曲線ａ及び曲線ｂがこのような場合に相当する。
【００４２】
ここで、図４における曲線ａと曲線ｂの違いを説明する。
図５（Ａ）に示すように、気圧測定部１１１で気圧値を検出する際に、風が気圧測定部１１１に当たる角度により気圧値が異なる。
図５（Ａ）に示されているように、風が気圧測定部１１１に当たる角度Ｒを設定する。
図５（Ｂ）に、この角度Ｒにおける気圧値の変化割合である角度変化割合を示す。角度変化割合は、角度が０°のときを１としている。言い換えると、各々の角度における気圧値を、角度が０°のときの気圧値、即ち、気圧値の最大値で除算することで、角度変化割合を算出することができる。風速算出部１３２は、角度変化割合を用いて、気圧測定部１１１の向きにより変化した気圧値の差を補正し、携帯端末１１０が受ける風を推定する。
【００４３】
図５（Ｂ）の変化より、図４に示されている曲線ａは、気圧測定部１１１に対して垂直に近い方向から風が当たり、曲線ｂは、気圧測定部１１１に対して背面方向から風が当たったと想定される。
そこで、図３のステップＳ２１では、風速算出部１３２は、気圧測定部１１１に風が当たる角度を特定する。例えば、記憶部１３３には、気圧値の最大値と最小値との差分に対応する角度を示す角度情報が予め記憶されており、風速算出部１３２は、その角度情報を参照することにより、ステップＳ１８で算出された差分に対応する角度を特定する。
【００４４】
また、風速算出部１３２は、ステップＳ２１で特定された角度に対応する角度変化割合（以下、これを効率と呼ぶ）を特定する（Ｓ２１）。例えば、記憶部１３３には、図５（ｂ）に示されているような角度と効率との関係を示す効率情報が予め記憶されており、風速算出部１３２は、その効率情報を参照することで、ステップＳ２１で特定された角度に対応する効率を特定する。
【００４５】
なお、風速算出部１３２は、そのような関係を示す情報を、空調通信部１３１を介してネットワーク１０１から取得してもよい。
または、風速算出部１３２は、ユーザに携帯端末１１０を回転させる指示を行い、回転角度とその時の気圧値とから、そのような関係を算出してもよい。
【００４６】
なお、ステップＳ１８において、気圧値の最大値と最小値との差分が予め定められた閾値以下である場合（Ｓ１８でＮｏ）には、風速算出部１３２は、携帯端末１１０に風が当たっていないと判断する。図４における曲線ｃは、このような場合にあたる。
また、ステップＳ１９において、気圧値の極大値が２つ以上ある場合（Ｓ１９でＮｏ）には、風速算出部１３２は、複数の方向から風が当たっていると判断する。図４における曲線ｄは、このような場合にあたる。
以上のような場合（ステップＳ１８でＮｏ又はステップＳ１９でＮｏ）には、処理はステップＳ２２に進む。
【００４７】
ステップＳ２２では、風速算出部１３２は、風による気圧値の変化量を算出する。気圧値の変化量の算出方法は、１つ前のステップにより異なる。一つ前のステップが、ステップＳ２１の場合、風速算出部１３２は、ステップＳ１０で記憶させた気圧値からステップＳ１６で作成したグラフの最小値を減算した値を、ステップＳ２１で特定した効率で除算した値を、気圧値の変化量とする。
一つ前のステップが、ステップＳ１８又はステップＳ１９の場合、風速算出部１３２は、ステップＳ１０で記憶させた気圧値から、ステップＳ１６で作成したグラフの最小値を減算した値を、気圧値の変化量とする。
なお、ステップＳ１０で記憶させた気圧値からステップＳ１６で作成したグラフの最小値を減算した値を対象差分ともいう。
【００４８】
次に、風速算出部１３２は、ステップＳ２２で算出した気圧値の変化量を用いて、下記の（１）式により風速を算出する（Ｓ２３）。
（１）式において、Ｖは、風速（ｍ／ｓ）、ｄは、空気の密度（ｋｇ／ｍ３）、Ｐｖは、気圧値の変化量（ｈＰａ）である。空気の密度は、温度によって異なるが、ここでは室温２０℃のときの空気の密度である「１．２０５」が用いられる。
【数１】
2019150457.tif 000003
なお、（１）式は、ベルヌーイの定理から導かれる式である。
【００４９】
以上のように、風速算出部１３２は、携帯端末１１０で測定された気圧値からベルヌーイの定理を用いて、風速を算出することができる。
【００５０】
以上のようにして算出された風速は、空調制御決定部１３４に与えられる。
また、風速算出部１３２は、ステップＳ１８及びＳ１９の判断結果から、携帯端末１１０が存在する方向である存在方向を特定して、特定された存在方向を空調制御決定部１３４に与える。例えば、ステップＳ１８及びＳ１９の判断結果がＹｅｓである場合には、風速算出部１３２は、ステップＳ１６において、気圧値の最大値に対応する風向の設定値の方向に携帯端末１１０が存在すると判断する。
一方、ステップＳ１８又はＳ１９の判断結果がＮｏである場合には、風速算出部１３２は、空気調和機１３０の風向を設定できる範囲に携帯端末１１０がないと判断する。言い換えると、空気調和機１３０の風向を設定できない範囲に携帯端末１１０が存在すると判断する。
風速算出部１３２は、以上のような判断結果を、携帯端末１１０の存在方向として、空調制御決定部１３４に与える。
【００５１】
空調制御決定部１３４は、現在の風向及び風量の設定値と、風速算出部１３２が算出した風速と、携帯端末１１０の存在方向とを用いて、空調制御方法を決定する。このとき、空調制御決定部１３４は、携帯端末１１０がユーザの側に置かれていると仮定して、例えば、ユーザに風が直接当たらないように制御したり、ユーザが心地よいと感じる風速になるよう制御したり、時間又は時刻により風の当たり具合を制御したりする。なお、空調制御方法は、現在の風向及び風量の設定値と、風速と、存在方向との組み合わせに応じて、予め定められているものとする。
【００５２】
なお、快適性を考慮した気流速度は、夏期の冷房において設定温度２７℃未満では０．３ｍ／ｓ以下、並びに、冬期の暖房時及び夏期の冷房において設定温度２７℃以上の時は、０．５ｍ／ｓ〜１．０ｍ／ｓが望ましいとされている。また、風速と人の感じ方については、例えば、ビューフォード風力階級表等を参照して、ユーザが心地よいと感じる風速が予め決定されているものとする。
【００５３】
なお、携帯端末１１０は、スマートフォン又は携帯電話を想定しているが、気圧センサ及び気圧センサで計測された気圧値を送信する通信装置を備えるものであればこれに限らない。例えば、携帯端末１１０は、気圧センサ及び通信装置を備えた目覚まし時計、又は、気圧センサ及び通信装置を備えたモジュールを後から付けた目覚まし時計でもよい。
【００５４】
また、実施の形態１では、空気調和機１３０が出力する風の風向及び風量の設定値を空調制御部１３５が風速算出部１３２に与える構成を説明したが、風向及び風量の設定値を、空調制御決定部１３４が風速算出部１３２に与えてもよい。この場合、空調制御決定部１３４が決定した風向及び風量の制御命令が空調制御部１３５で実施されたとして処理されることとなる。
【００５５】
また、実施の形態１では、風速算出部１３２は、気圧測定部１１１で計測された気圧値を用いて、風速を算出しているが、実施の形態１は、このような例に限定されない。
例えば、風速算出部１３２は、携帯端末１１０に内蔵されている図示しないマイクによって検知される音を用いて、風速を算出することもできる。風による空気の揺らぎは、集音部としてのマイクの雑音として検知される。風による雑音は、超低周波であるため、端末制御部１１２は、マイクで検知された雑音（ゲイン）から、ローパスフィルタを通して低周波領域のみを取り出すことで、雑音量を示す出力値を風速算出部１３２に与えることができる。
【００５６】
また、マイクの代わりに、携帯端末１１０に内蔵されている図示しないスピーカによって検知される音を用いて、風速を算出することもできる。スピーカを用いる場合には、風によるスピーカの振動板の振動を検知し、検知された振動を増幅して信号として風速算出部１３２に伝達する回路を追加することで、風速を求めることができる程度の雑音の変化量を検出することができる。
【００５７】
風速算出部１３２は、複数の気圧値の変化量の代わりに、マイクによって検知された雑音の低周波領域の複数の出力値の変化量を用いて、風速を求めることができる。例えば、記憶部１３３が、変化量と、風速とを対応付ける風速情報を予め記憶することで、風速算出部１３２は、風速を特定することができる。このような場合、風速算出部１３２は、風速特定部として機能する。
なお、このような場合には、図３に示されているフローチャートにおいて、ステップＳ１２及びＳ１３において、気圧値の代わりに、マイクで検知された雑音の低周波領域の出力値を測定及び記憶する。
【００５８】
マイクによる雑音の低周波領域の出力値は、気圧値と同時に測定及び記憶することで、風速算出部１３２は、気圧測定部１１１のみによる風速を補完し、風速推定精度を上げることもできる。このような場合、例えば、気圧値から算出された風速と、雑音から算出された風速との平均値を用いることで、風速推定精度を上げることができる。
【００５９】
以上のように、実施の形態１に係る空調制御システム１００によれば、携帯端末１１０が置かれた場所における風速を特定し、空気調和機１３０の制御にフィードバックさせることができる。このため、携帯端末１１０が置かれた場所を、好適な環境にすることができる。従って、ユーザは、希望する時に、快適な空間を提供したい人、ペット又は食品等の対象の近くに携帯端末１１０を配置することで、その対象に快適な空調を提供することができる。
【００６０】
また、実施の形態１に係る空調制御システム１００では、携帯端末１１０は、気圧測定部１１１で気圧値を測定し、その気圧値を空気調和機１３０に送信するだけでよいので、空調制御に関する機能を持たない携帯端末１１０を用いることができる。
【００６１】
また、実施の形態１に係る空調制御システム１００では、携帯端末１１０が受けている風と、気圧測定部１１１に当たる風との違いを区別することにより、気圧測定部１１１の設置向きによる気圧値の変化を補正することができる。
【００６２】
さらに、実施の形態１に係る空調制御システム１００では、携帯端末１１０に備えられている気圧測定部１１１で測定される気圧値により、携帯端末１１０が存在する方向を特定することができるため、携帯端末１１０が存在する方向を快適な空間とすることができる。
【００６３】
また、実施の形態１に係る空調制御システム１００では、気圧センサと通信装置とを携帯対象物に後付けすることにより、携帯端末１１０とすることができる。このため、携帯端末１１０は、スマートフォン又は携帯電話のみならず、目覚まし時計等の携帯対象物により実現することができる。例えば、目覚まし時計は、ユーザが空気調和機１３０をリモコンで制御できない就寝中に、ユーザの側に設置されることが多いため、ユーザに代わって環境を見守ることができる。
【００６４】
実施の形態２．
図６は、実施の形態２に係る空調制御システム２００の構成を概略的に示すブロック図である。
空調制御システム２００は、携帯端末２１０と、空気調和機２３０とを備える。
携帯端末２１０及び空気調和機２３０は、ネットワーク１０１に接続されている。
【００６５】
携帯端末２１０は、気圧測定部１１１と、端末制御部１１２と、端末通信部１１３と、風速算出部２１４と、記憶部２１５と、空調制御決定部２１６とを備える。
実施の形態２における気圧測定部１１１、端末制御部１１２及び端末通信部１１３は、実施の形態１と同様である。但し、実施の形態２における端末制御部１１２は、気圧測定部１１１から与えられる気圧値を、風速算出部２１４に与える。また、実施の形態２における端末通信部１１３は、空調制御決定部２１６から与えられる風向及び風量の制御内容を空気調和機２３０に送信し、空気調和機２３０から現在の風向及び風量の設定値を受信して、その設定値を風速算出部２１４に与える。
【００６６】
風速算出部２１４は、端末制御部１１２から与えられる気圧値を記憶部２１５に記憶させる。そして、風速算出部２１４は、記憶部２１５に記憶されている複数の気圧値の変化量と、端末通信部１１３から与えられる空気調和機２３０の現在の風向及び風量の設定値とに基づき、携帯端末２１０が受けた風の風速を算出するとともに、携帯端末２１０の存在方向を特定する。算出された風速及び特定された存在方向は、空調制御決定部２１６に与えられる。
【００６７】
記憶部２１５は、携帯端末２１０での処理に必要な情報を記憶する。例えば、記憶部２１５は、風速算出部２１４から与えられる気圧値を記憶する。記憶部２１５は、揮発性のメモリ又は不揮発性のメモリにより実現することができる。
【００６８】
空調制御決定部２１６は、現在の風向及び風量の設定値、風速算出部２１４から与えられる風速及び存在方向に従って、空気調和機２３０の風向及び風量の制御内容を決定し、端末通信部１１３に、風向及び風量の制御内容を空気調和機２３０へ送信させる。例えば、空調制御決定部２１６としては、スマートフォンのリモコン用のアプリケーションを利用することができる。
【００６９】
以上に記載された端末制御部１１２、風速算出部２１４及び空調制御決定部２１６の一部又は全部は、例えば、図２（Ａ）に示されているように、メモリ１０と、プロセッサ１１とにより構成することができる。
また、端末制御部１１２、風速算出部２１４及び空調制御決定部２１６の一部は、例えば、図２（Ｂ）に示されているように、処理回路１２で構成することもできる。
【００７０】
空気調和機２３０は、空調通信部１３１と、空調制御部２３５と、空調部１３６とを備える。
実施の形態２における空調通信部１３１及び空調部１３６は、実施の形態１と同様である。但し、空調通信部１３１は、携帯端末２１０から風向及び風量の制御内容を受信し、その風向及び風量の制御内容を空調制御部２３５に与える。また、空調通信部１３１は、空調制御部２３５から現在の風向及び風量の設定値を受け取り、その現在の風向及び風量の設定値を携帯端末２１０に送信する。
【００７１】
空調制御部２３５は、空調通信部１３１から与えられる風向及び風量の制御内容に従い、空気調和機２３０が風を出力するよう、空調部１３６に風向及び風量の設定を行うとともに、その設定値を、現在の風向及び風量の設定値として、空調通信部１３１に与える。
【００７２】
以上に記載された空調制御部２３５の一部又は全部は、例えば、図２（Ａ）に示されているように、メモリ１０と、プロセッサ１１とにより構成することができる。
また、空調制御部２３５の一部又は全部は、例えば、図２（Ｂ）に示されているように、処理回路１２で構成することもできる。
【００７３】
以上のように、実施の形態２によれば、空気調和機２３０は、携帯端末２１０からの制御に従えばよいので、既設の空気調和機２３０を用いることができる。
【００７４】
実施の形態３．
図７は、実施の形態３に係る空調制御システム３００の構成を概略的に示すブロック図である。
空調制御システム３００は、第１の携帯端末１１０Ａと、第２の携帯端末１１０Ｂと、空気調和機３３０とを備える。
第１の携帯端末１１０Ａ、第２の携帯端末１１０Ｂ及び空気調和機３３０は、ネットワーク１０１に接続されている。
【００７５】
第１の携帯端末１１０Ａは、気圧測定部１１１Ａと、端末制御部１１２Ａと、端末通信部１１３Ａとを備える。
第１の携帯端末１１０Ａにおける気圧測定部１１１Ａ、端末制御部１１２Ａ及び端末通信部１１３Ａは、実施の形態１における携帯端末１１０の気圧測定部１１１、端末制御部１１２及び端末通信部１１３と同様である。
【００７６】
第２の携帯端末１１０Ｂは、気圧測定部１１１Ｂと、端末制御部１１２Ｂと、端末通信部１１３Ｂとを備える。
第２の携帯端末１１０Ｂにおける気圧測定部１１１Ｂ、端末制御部１１２Ｂ及び端末通信部１１３Ｂは、実施の形態１における携帯端末１１０の気圧測定部１１１、端末制御部１１２及び端末通信部１１３と同様である。
【００７７】
空気調和機３３０は、空調通信部１３１と、風速算出部３３２と、記憶部１３３と、空調制御決定部３３４と、空調制御部１３５と、空調部１３６とを備える。
実施の形態３における空調通信部１３１、記憶部１３３、空調制御部１３５及び空調部１３６は、実施の形態１と同様である。
【００７８】
風速算出部３３２は、空調通信部１３１から与えられる、第１の携帯端末１１０Ａで測定された気圧値及び第２の携帯端末１１０Ｂで測定された気圧値を記憶部１３３に記憶させる。そして、風速算出部３３２は、記憶部１３３に記憶されている、第１の携帯端末１１０Ａの気圧値の変化量と、空調制御部１３５から入力される空気調和機１３０の現在の風向及び風量の設定値とに基づき、第１の携帯端末１１０Ａが受けた風の風速を算出するとともに、第１の携帯端末１１０Ａが存在する方向である存在方向を特定する。また、風速算出部３３２は、記憶部１３３に記憶されている、第２の携帯端末１１０Ｂの気圧値の変化量と、空調制御部１３５から入力される空気調和機１３０の現在の風向及び風量の設定値とに基づき、第２の携帯端末１１０Ｂが受けた風の風速を算出するとともに、第２の携帯端末１１０Ｂが存在する方向である存在方向を特定する。第１の携帯端末１１０Ａにおいて算出された風速及び特定された存在方向、並びに、第２の携帯端末１１０Ｂにおいて算出された風速及び特定された存在方向は、空調制御決定部３３４に与えられる。
【００７９】
空調制御決定部３３４は、現在の風向及び風量の設定値、風速算出部３３２から与えられる、第１の携帯端末１１０Ａにおいて算出された風速及び特定された存在方向、並びに、第２の携帯端末１１０Ｂにおいて算出された風速及び特定された存在方向に従って、空気調和機３３０の風向及び風量の制御内容を決定し、風向及び風量の制御内容を空調制御部１３５に与える。
ここで、空調制御決定部３３４は、第１の携帯端末１１０Ａ及び第２の携帯端末１１０Ｂの両方に快適な空調制御ができればよいが、同じ場所に異なる制御が求められる場合は、優先順位を付けてどちらかを優先する。
【００８０】
また、実施の形態３では２つの携帯端末１１０を用いているが、携帯端末１１０の数は２つに限定されず、３つ以上の携帯端末１１０が備えられていてもよい。
【００８１】
実施の形態３によれば、携帯端末１１０が複数ある場合でも、特定の場所に対して快適な空調制御を行うことができる。
【００８２】
実施の形態４．
図８は、実施の形態４に係る空調制御システム４００の構成を概略的に示すブロック図である。
空調制御システム４００は、携帯端末４１０と、空気調和機２３０と、開閉装置４５０とを備える。
携帯端末４１０、空気調和機２３０及び開閉装置４５０は、ネットワーク１０１に接続されている。
実施の形態４における空気調和機２３０は、実施の形態２と同様である。
【００８３】
携帯端末４１０は、気圧測定部１１１と、端末制御部４１２と、端末通信部４１３と、風速算出部４１４と、記憶部４１５と、空調制御決定部４１６と、温度測定部４１７と、湿度測定部４１８とを備える。
実施の形態４における気圧測定部１１１は、実施の形態１と同様である。
【００８４】
温度測定部４１７は、温度を測定し、測定された温度を端末制御部４１２に与える温度センサである。
湿度測定部４１８は、湿度を測定し、測定された湿度を端末制御部４１２に与える湿度センサである。
【００８５】
端末制御部４１２は、携帯端末４１０での処理を制御する。例えば、端末制御部４１２は、気圧測定部１１１から与えられる気圧値及び温度測定部４１７から与えられる温度を、風速算出部４１４に与える。端末制御部４１２は、温度測定部４１７から与えられる温度及び湿度測定部４１８から与えられる湿度を、空調制御決定部４１６に与える。
【００８６】
風速算出部４１４は、端末制御部４１２から与えられる気圧値を記憶部４１５に記憶させる。そして、風速算出部４１４は、記憶部４１５に記憶されている複数の気圧値の変化量と、端末通信部４１３から与えられる空気調和機２３０の現在の風向及び風量の設定値と、温度測定部４１７から与えられる温度とに基づき、携帯端末４１０が受けた風の風速を算出するとともに、携帯端末４１０の存在方向を特定する。算出された風速及び特定された存在方向は、空調制御決定部４１６に与えられる。
ここで、風速算出部４１４では、温度測定部４１７から与えられる温度に対応する空気の密度を用いて、上記の（１）式により、風速を算出する。
【００８７】
記憶部４１５は、携帯端末４１０での処理に必要な情報を記憶する。例えば、記憶部４１５は、風速算出部４１４から与えられる気圧値を記憶する。記憶部４１５は、気温と空気の密度とを対応付けた密度情報を記憶する。風速算出部４１４は、密度情報を参照することで、温度測定部４１７から与えられる温度に対応する空気の密度を特定すればよい。記憶部４１５には、風速、温度及び湿度の組み合わせと、体感温度とを対応付ける体感温度情報を記憶する。なお、記憶部４１５は、揮発性のメモリ又は不揮発性のメモリにより実現することができる。
【００８８】
空調制御決定部４１６は、風速算出部４１４から与えられる風速、温度測定部４１７から与えられる温度及び湿度測定部４１８から与えられる湿度を用いて、体感温度を特定する。例えば、空調制御決定部４１６は、記憶部４１５に記憶されている体感温度情報を参照することで、風速、温度及び湿度に対応する体感温度を特定する。
そして、空調制御決定部４１６は、現在の風向及び風量の設定値、風速算出部４１４から与えられる存在方向及び特定された体感温度に従って、空気調和機２３０の風向及び風量の制御内容を決定する。なお、風向及び風量の制御内容は、現在の風向及び風量の設定値と、存在方向と、体感温度との組み合わせに応じて、予め定められているものとする。空調制御決定部４１６は、その風向及び風量の制御内容を端末通信部４１３に与える。
また、空調制御決定部４１６は、特定された体感温度に従って、開閉装置４５０の開閉度合いを決定する。なお、開閉度合いは、体感温度に応じて、予め定められているものとする。空調制御決定部４１６は、その開閉度合いを端末通信部４１３に与える。
【００８９】
端末通信部４１３は、空調制御決定部４１６から与えられる風向及び風量の制御内容を空気調和機２３０に送信する。
また、端末通信部４１３は、空調制御決定部４１６から与えられる開閉度合いを開閉装置４５０に送信する。
さらに、端末通信部４１３は、空気調和機２３０から現在の風向及び風量の設定値を受信して、その設定値を風速算出部４１４に与える。
【００９０】
開閉装置４５０は、開閉通信部４５１と、開閉制御部４５２と、開閉部４５３とを備える。
【００９１】
開閉通信部４５１は、ネットワーク１０１との間で通信を行う。例えば、開閉通信部４５１は、携帯端末４１０から開閉度合いを受信し、その開閉度合いを開閉制御部４５２に与える。
【００９２】
開閉制御部４５２は、開閉通信部４５１から与えられる開閉度合いに従い、開閉対象に取り付けられている開閉部４５３を制御する。
開閉部４５３は、開閉対象に取り付けられており、開閉通信部４５１から与えられる開閉度合いとなるように、開閉対象の開閉を行う。ここで、開閉対象は、扉、戸、襖又は窓等である。
【００９３】
以上に記載された開閉制御部４５２の一部又は全部は、例えば、図２（Ａ）に示されているように、メモリ１０と、プロセッサ１１とにより構成することができる。
また、開閉制御部４５２の一部又は全部は、例えば、図２（Ｂ）に示されているように、処理回路１２で構成することもできる。
【００９４】
図９は、実施の形態４に係る空調制御システム４００の利用方法を示す概略図である。
携帯端末４１０は、就寝中の人の横に置かれ、空気調和機２３０から出力される風を受ける。このとき、携帯端末４１０は、人の空気調和機２３０側に置かれた方がよい。
また、開閉装置４５０は、窓４６０及び扉４６１に取り付けられており、窓４６０及び扉４６１のそれぞれを開閉する。窓４６０及び扉４６１を開閉する開閉部４５３の構成は、公知の構成を採用すればよいため、詳細な説明は省略する。
【００９５】
以上のように、実施の形態４によれば、空気の密度は、温度により異なるため、温度を測定することにより風速をより正確に推定することができる。
【００９６】
また、実施の形態４に係る空調制御システム４００では、温度、湿度及び風速により、体感温度を特定することができるため、体感温度に合わせた制御を行うことができる。
【００９７】
なお、実施の形態４では、携帯端末４１０に、風速算出部４１４、記憶部４１５及び空調制御決定部４１６が備えられているが、実施の形態４は、このような例に限定されない。例えば、風速算出部４１４、記憶部４１５及び空調制御決定部４１６が、空気調和機２３０及び開閉装置４５０の何れか一方、又は、両方に備えられていてもよい。このような場合、携帯端末４１０は、測定された気圧値、温度及び湿度を、空気調和機２３０及び開閉装置４５０の何れか一方、又は、両方に送信すればよい。
なお、空気調和機２３０及び開閉装置４５０の何れか一方に、風速算出部４１４、記憶部４１５及び空調制御決定部４１６が備えられている場合には、空調制御決定部４１６は、空気調和機２３０及び開閉装置４５０の制御内容を決定し、他装置の制御内容を他装置に送信すればよい。
また、空気調和機２３０及び開閉装置４５０の両方に、風速算出部４１４、記憶部４１５及び空調制御決定部４１６が備えられている場合には、空調制御決定部４１６は、自装置の制御内容を決定すればよい。
【符号の説明】
【００９８】
１００，２００，３００，４００  空調制御システム、  １０１  ネットワーク、  １１０，２１０，４１０  携帯端末、  １１１  気圧測定部、  １１２，４１２  端末制御部、  １１３，４１３  端末通信部、  ２１４，４１４  風速算出部、  ２１５，４１５  記憶部、  ２１６，４１６  空調制御決定部、  ４１７  温度測定部、  ４１８  湿度測定部、  １３０，２３０，３３０  空気調和機、  １３１  空調通信部、  １３２，３３２  風速算出部、  １３３  記憶部、  １３４，３３４  空調制御決定部、  １３５，２３５  空調制御部、  １３６  空調部、  ４５０  開閉装置、  ４５１  開閉通信部、  ４５２  開閉制御部、  ４５３  開閉部。
【図１】
2019150457.tif 000004
【図２】
2019150457.tif 000005
【図３】
2019150457.tif 000006
【図４】
2019150457.tif 000007
【図５】
2019150457.tif 000008
【図６】
2019150457.tif 000009
【図７】
2019150457.tif 000010
【図８】
2019150457.tif 000011
【図９】
2019150457.tif 000012
【国際調査報告】
2019150457.tif 000013
2019150457.tif 000014
2019150457.tif 000015
2019150457.tif 000016